(57)【特許請求の範囲】
【請求項１】
縦長平面形状を有する櫛歯台の表面に、長手方向に連設する多数の櫛歯からなる櫛歯列が、中央部分を挟んだ両側に少なくとも一列ずつ設けられて櫛歯部が形成されており、前記櫛歯台の背面側に設けられた液室から、前記液室に連通する供給流路を経て圧送されてくる塗布液を、前記櫛歯列の間の中央部分において開口形成した２箇所のスリット開口を介して吐出させつつ、前記櫛歯による塗布作業を行う櫛歯付き塗布用具であって、
前記スリット開口は、前記櫛歯台を厚さ方向に貫通して前記櫛歯台の表面に開口形成されており、
前記スリット開口は、前記櫛歯台の長手方向に間隔をおいて直線状に並べて配置された、前記供給流路側の第１スリット開口と、先端部側の第２スリット開口とからなり、且つ前記第１スリット開口のスリット幅Ｂ１が、前記第２スリット開口のスリット幅Ｂ２よりも小さくなっており、前記第１スリット開口のスリット幅Ｂ１と前記第２スリット開口のスリット幅Ｂ２の比が１：１．２〜１：２である櫛歯付き塗布用具。
【請求項２】
前記第１スリット開口の長さＬ１と、前記第２スリット開口の長さＬ２と、前記第１スリット開口と前記第２スリット開口との間の間隔部分の長さＬ３との比が、１：２〜４：０．３〜１である請求項１記載の櫛歯付き塗布用具。
【請求項３】
前記櫛歯列の前記供給流路側の端部から前記第１スリット開口の始端部までの長さＬ４が、前記櫛歯列の両端の間の長さＬ０の５〜１０％の長さである請求項１又は２記載の櫛歯付き塗布用具。
【請求項４】
前記櫛歯列の前記先端部側の端部から前記第２スリット開口の終端部までの長さＬ５が、前記櫛歯列の両端の間の長さＬ０の２〜１０％の長さである請求項１〜３のいずれか１項記載の櫛歯付き塗布用具。
【請求項５】
前記櫛歯台は、幅Ｂが６〜８ｍｍ、長さＬが２０〜３０ｍｍの縦長平面形状を有している請求項１〜４の何れか１項記載の櫛歯付き塗布用具。
【請求項６】
前記第１スリット開口のスリット幅Ｂ１が０．３〜０．７ｍｍ、前記第２スリット開口のスリット幅Ｂ２が０．８〜１．２ｍｍである請求項１〜５の何れか１項記載の櫛歯付き塗布用具。
【請求項７】
前記第１スリット開口の長さＬ１が３〜４ｍｍ、前記第２スリット開口の長さＬ２が８〜１２ｍｍ、前記第１スリット開口と前記第２スリット開口との間の間隔部分の長さＬ３が１〜３ｍｍである請求項１〜６の何れか１項記載の櫛歯付き塗布用具。
【請求項８】
前記櫛歯台が、前記供給流路の軸方向に対して１５〜４５°の角度で傾斜している請求項１〜７の何れか１項記載の櫛歯付き塗布用具。
【発明の詳細な説明】
【技術分野】
【０００１】
本発明は、櫛歯付き塗布用具に関し、特に容器本体から圧送されてくる塗布液を、多数の櫛歯が設けられた櫛歯部に吐出させて櫛歯による塗布作業を行う櫛歯付き塗布用具に関する。
【背景技術】
【０００２】
容器本体から圧送されてくる塗布液を、多数の櫛歯が設けられた櫛歯部に吐出させて櫛歯による塗布作業を行う櫛歯付き塗布用具として、例えば染毛剤等の毛髪化粧料を毛髪に塗布するために用いる毛髪化粧用具が知られている（例えば、特許文献１、特許文献２、特許文献３参照）。
【０００３】
これらの特許文献に記載の毛髪化粧用具では、多数の櫛歯が設けられた櫛歯部を備えており、エアゾール容器やスクイズ容器等からなる容器本体の口首部に着脱可能に装着して用いられる。また櫛歯部の背面側には液室が設けられており、液室と連通する供給流路を経て容器本体から圧送されてくる泡状或いは液状の塗布液を、櫛歯部に設けた複数の吐出口から吐出させつつ、櫛歯による塗布作業を行うようになっている。
【０００４】
また、これらの毛髪化粧用具では、液室から吐出口を介して櫛歯部に吐出される塗布液は、容器本体から塗布液が圧送される供給流路に近い接続基端部側の吐出口から吐出される塗布液の方が、先端部側の吐出口から吐出される塗布液のよりも吐出量が多くなりがちである。よって、塗布液が供給流路に近い側の櫛歯部の方に多く供給されて、吐出された塗布液を毛髪にバランスよく均等に塗布することが困難になる。
【０００５】
このため、例えば櫛歯部に設けた円形の吐出口の開口面積を接続基端部側のものよりも先端部側のものの方が大きくなるようにしたり、液室の供給流路寄りの部分に抵抗板を設けたり、或いは液室内における吐出口への流路を供給流路側のものの方が長くなるようにして、櫛歯部の略全体に亘って略均等に塗布液が吐出されるようにする工夫がなされている。
【特許文献１】実公平３−４２８０７号公報
【特許文献２】特開平７−１３６０１９号公報
【特許文献３】特開平７−３３２９１６号公報
【発明の開示】
【発明が解決しようとする課題】
【０００６】
一方、例えば毛髪の生え際部分等の細部に染毛を行うには、多数の櫛歯が設けられる櫛歯部をコンパクトな形状にすることが好ましい。櫛歯部をコンパクトな形状にする場合には、簡易な構造によって塗布液が略均等に吐出されるように、例えば複数の円形の吐出口の開口面積をより小さくすると共に、供給流路側の吐出口の開口径よりも先端部側の吐出口の開口径の方が大きくなるようにすることが考えられるが、個々の吐出口の開口面積を小さくすると、例えば櫛歯付き塗布用具の使用後に櫛歯部を洗浄する際に、洗浄液が吐出口を通過し難くなって洗浄効果が損われるおそれがある。
【０００７】
また、櫛歯部をコンパクトな形状にした場合、隣接する櫛歯の間の間隔が狭くなるため、これらの間隔部分に十分な量の塗布液を吐出させたり、保持しておくことが困難である。このため、例えば縦長の平面形状を有する櫛歯台の中央部分を挟んだ両側に一列ずつ櫛歯列を設けて櫛歯部を形成し、両側の櫛歯列を仕切壁としてこれらによって挟まれる中央部分に塗布液を吐出させることにより、相当の幅を有する中央部分に塗布液を保持させ、櫛歯による塗布作業時に、十分な量の塗布液を供給できるようにすることが考えられる。
【０００８】
しかしながら、このような櫛歯列によって両側を挟まれた櫛歯台の中央部分に、上述のように接続基端部側のものの開口径よりも先端部側のものの開口径の方が大きくなるようにして複数の円形の吐出口を設けると、櫛歯部の洗浄性に問題を生じることになる。
【０００９】
本発明は、櫛歯台の櫛歯列によって両側を挟まれた中央部分に、略全体に亘って塗布液を略均等に吐出させることにより、吐出された塗布液を毛髪等の被塗布部にバランスよく塗布することができると共に、櫛歯部の洗浄性を阻害することのない櫛歯付き塗布用具を提供することを目的とする。
【課題を解決するための手段】
【００１０】
本発明は、縦長平面形状を有する櫛歯台の表面に、長手方向に連設する多数の櫛歯からなる櫛歯列が、中央部分を挟んだ両側に少なくとも一列ずつ設けられて櫛歯部が形成されており、前記櫛歯台の背面側に設けられた液室から、前記液室に連通する供給流路を経て圧送されてくる塗布液を、前記櫛歯列の間の中央部分において前記櫛歯台に開口形成した２箇所のスリット開口を介して吐出させつつ、前記櫛歯による塗布作業を行う櫛歯付き塗布用具であって、前記スリット開口は、前記櫛歯台の長手方向に直線状に並べて配置された、前記供給流路側の第１スリット開口と、先端部側の第２スリット開口とからなり、且つ前記第１スリット開口のスリット幅Ｂ１が、前記第２スリット開口のスリット幅Ｂ２よりも小さくなっている櫛歯付き塗布用具を提供することにより、上記目的を達成したものである。
【発明の効果】
【００１１】
本発明の櫛歯付き塗布用具によれば、櫛歯台の櫛歯列によって両側を挟まれた中央部分に、略全体に亘って塗布液を略均等に吐出させることにより、吐出された塗布液を毛髪等の被塗布部にバランスよく塗布することができると共に、櫛歯部の洗浄性を阻害することがない。
【発明を実施するための最良の形態】
【００１２】
図１に示す本発明の好ましい一実施形態に係る櫛歯付き塗布用具１０は、塗布液として例えば染毛剤を収容した容器本体１１の口首部１１ａに着脱可能に装着して用いられ、特に毛髪の生え際部分のような細部の染毛を行うのに適した、コンパクトな形状の櫛歯部１２を有している。
【００１３】
ここで、本実施形態では、容器本体１１は、染毛剤を収容した例えばエアゾール容器であって、塗布用具１０に設けられた押圧操作部１３からの操作によってステム１４が押し下げられることによって、ステム１４の先端から、染毛剤を例えば泡状にして吐出させることができるようになっている。
【００１４】
また、本実施形態では、塗布用具１０は、合成樹脂製の成形品であって、塗布用具１０を容器本体に装着するためのスカート状の装着固定部１５と、装着固定部１５の天面部１５ａにヒンジ部１６を介して回動可能に接合すると共に、天面部１５ａから上方に立設配置された、内側に供給流路１７を備える中空ロッド部１８と、中空ロッド部１８の上端部分に一体として設けられた櫛歯部１２とを含んで構成されている。また中空ロッド部１８の下端部分には、側方に張り出すように突出して、押圧操作部１３が設けられている。
【００１５】
さらに、本実施形態では、櫛歯部１２は、図２（ａ），（ｂ）にも示すように、縦長平面形状を有する櫛歯台１９と、櫛歯台１９の表面から立設して設けられた多数の櫛歯２０とからなる。櫛歯２０は、長手方向に連設する多数の櫛歯２０からなる櫛歯列２１を、中央部分２２を挟んだ両側に少なくとも一列ずつ（本実施形態では各々１列）配置することによって櫛歯台１９に設けられている。また、櫛歯台１９の背面側には液室２３が設けられており、この液室２３は、櫛歯部１２の中空ロッド部１８との接続基端部１２ａ側において、中空ロッド部１８の内側の供給流路１７と連通している。
【００１６】
そして、本実施形態の櫛歯付き塗布用具１０では、使用者が容器本体（把持部）１１を把持しつつ押圧操作部１３の押圧操作によってステム１４を押し下げ、容器本体１１に収容された染毛剤を吐出させると共に、吐出された染毛剤を中空ロッド部１８の内側の供給流路１７を経て櫛歯台１９の背面側の液室２３に圧送させる。また圧送された染毛剤を、櫛歯台１９に開口形成した２箇所のスリット開口２４ａ，２４ｂを介して、櫛歯台１９の表面側に吐出させ、吐出した染毛剤を櫛歯２０によって塗布する作業が行われる。本実施形態によれば、櫛歯台１９の櫛歯列２１によって両側を挟まれた中央部分２２に、略全体に亘って染毛剤を略均等に吐出させることにより、吐出された染毛剤を毛髪にバランスよく塗布することのできる構造を備えている。
【００１７】
すなわち、本実施形態の櫛歯付き塗布用具１０は、縦長平面形状を有する櫛歯台１９の表面に、長手方向Ｘに連設する多数の櫛歯２０からなる櫛歯列２１が、中央部分２２を挟んだ両側に一列ずつ設けられて櫛歯部１２が形成されており、櫛歯台１９の背面側に設けられた液室２３から、櫛歯部１２の接続基端部１２ａ側で液室２３に連通する供給流路１７を経て把持部である容器本体１１側より圧送されてくる染毛剤を、櫛歯列２１の間の中央部分２２において櫛歯台１９に開口形成した２箇所のスリット開口２４ａ，２４ｂを介して吐出させつつ、櫛歯２０による塗布作業を行う塗布用具であって、スリット開口２４ａ，２４ｂは、図２（ａ），（ｂ）に示すように、櫛歯台１９の長手方向Ｘに直線状に並べて配置された、接続基端部１２ａ側（供給流路１７側）の第１スリット開口２４ａと、先端部１２ｂ側の第２スリット開口２４ｂとからなり、且つ第１スリット開口２４ａのスリット幅Ｂ１が、第２スリット開口２４ｂのスリット幅Ｂ２よりも小さくなっている。
【００１８】
本実施形態では、櫛歯部１２の櫛歯台１９は、例えば幅Ｂが６〜８ｍｍ、長さＬが２０〜３０ｍｍの大きさの、長円形の縦長平面形状を有している。櫛歯台１９の表面には、多数の櫛歯２０が立設配置されていると共に、櫛歯台１９の中央部分には、当該櫛歯台１９を厚さ方向に貫通して、スリット開口２４ａ，２４ｂが２箇所に開口形成されている。
【００１９】
櫛歯２０は、例えば直径が０．５〜２ｍｍ程度の円形断面を備えると共に、櫛歯台１９の表面から５〜１０ｍｍ程度の高さで立設して設けられている。本実施形態では、例えば各々１４本の櫛歯２０が長手方向Ｘに１〜２ｍｍ程度の中心間ピッチで連設して２列の櫛歯列２１が形成されている。各櫛歯列２１は、櫛歯台１９の中央部分２２を挟んだ両側に、２〜２．６ｍｍ程度の中心間間隔をおいて平行に配置されている。これによって、櫛歯台１９の中央部分２２には、両側の櫛歯列２１を洗毛剤が流出するのを抑制する流出抑制壁とした、相当の幅を有する染毛剤保持凹部２６が、櫛歯列２１によって挟まれて形成されることになる。なお、染毛剤保持凹部２６を構成する櫛歯列２１によって挟まれた中央部分２２の長手方向Ｘの両端部には、櫛歯台１９から立設して、接続基端部１２ａ側に２本、先端部１２ｂ側に２本の補助櫛歯２５が設けられている。これらの補助櫛歯２５によって、中央部分２２の染毛剤保持凹部２６に吐出された染毛剤が、染毛剤保持凹部２６の端部から流出するのを効果的に抑制する。
【００２０】
櫛歯台１９の中央部分２２に開口形成された２箇所のスリット開口２４ａ，２４ｂは、例えば細長い長円形状を有しており、櫛歯台１９の長手方向Ｘに直線状に並べて配置されている。櫛歯部１２の接続基端部１２ａ側の第１スリット開口２４ａは、例えばそのスリット幅Ｂ１が０．３〜０．７ｍｍ、長さＬ１が３〜４ｍｍとなっている。櫛歯部１２の先端部１２ｂ側の第２スリット開口２４ｂは、例えばそのスリット幅Ｂ２が０．８〜１．２ｍｍ、長さＬ２が８〜１２ｍｍとなっている。また第１スリット開口２４ａと第２スリット開口２４ｂとの間の間隔部分の長さＬ３は１〜３ｍｍとなっている。
【００２１】
ここで、第１スリット開口２４ａのスリット幅Ｂ１は、第２スリット開口２４ｂのスリット幅Ｂ２よりも小さくなっており、第１スリット開口２４ａのスリット幅Ｂ１と第２スリット開口２４ｂのスリット幅Ｂ２の比は、１：１．２〜１：２となっていることが好ましい。第１スリット開口２４ａのスリット幅Ｂ１と第２スリット開口２４ｂのスリット幅Ｂ２の比が１：１．２〜１：２となっていることにより、下部からかかる吐出圧を分散させ櫛歯内に均一吐出させる事を可能とするという利点が得られることになる。
【００２２】
また、第１スリット開口２４ａの長さＬ１と、第２スリット開口２４ｂの長さＬ２と、第１スリット開口２４ａと第２スリット開口２４ｂとの間の間隔部分の長さＬ３との比は、１：２〜４：０．３〜１．０となっていることが好ましい。第１スリット開口２４ａの長さＬ１と、第２スリット開口２４ｂの長さＬ２と、第１スリット開口２４ａと第２スリット開口２４ｂとの間の間隔部分の長さＬ３との比が１：２〜４：０．３〜１．０となっていることにより、吐出した染毛剤が櫛歯台１９の櫛歯列２１によって両側を挟まれた中央部分２２に略均一に出て、塗布時にムラになりにくいという利点が得られることになる。
【００２３】
さらに、櫛歯列２１の接続基端部１２ａ側の端部から（端部に位置する櫛歯２０の中心から）第１スリット開口２４ａの始端部までの長さＬ４は、櫛歯列２１の両端の間（両側の端部に位置する櫛歯２０の中心の間）の長さＬ０の５〜１０％の長さとなっていることが好ましい。櫛歯列２１の接続基端部１２ａ側の端部から第１スリット開口２４ａの始端部までの長さＬ４が櫛歯列２１の両端の間の長さＬ０の５〜１０％の長さとなっていることにより、吐出した染毛剤は櫛歯台１９の櫛歯列２１によって両側を挟まれた中央部分２２に収まり易くなり、それによって塗布時に周囲の皮膚に付着する事を抑制できるという利点が得られることになる。
【００２４】
さらにまた、櫛歯列の先端部１２ｂ側の端部から（端部に位置する櫛歯２０の中心から）第２スリット開口２４ｂの終端部までの長さＬ５は、櫛歯列２１の両端の間（両側の端部に位置する櫛歯２０の中心の間）の長さＬ０の２〜１０％の長さとなっていることが好ましい。櫛歯列の先端部１２ｂ側の端部から第２スリット開口２４ｂの終端部までの長さＬ５が櫛歯列２１の両端の間の長さＬ０の２〜１０％の長さとなっていることにより、吐出した染毛剤は櫛歯台１９の櫛歯列２１によって両側を挟まれた中央部分２２に収まり易くなり、それによって塗布時に周囲の皮膚に付着する事を抑制できるという利点が得られることになる。
【００２５】
また、本実施形態では、櫛歯台１９は、中空ロッド部１８の内側の供給流路１７の軸方向Ｙに対して１５〜４５°の角度θで傾斜していることが好ましい。櫛歯台１９が供給流路１７の軸方向Ｙに対して１５〜４５°の角度θで傾斜していることにより、自然に被塗布部とフィットし、無理な角度にする事無く目的箇所に染毛剤を容易に塗布することが可能になるという利点が得られることになる。
【００２６】
そして、上述の構成を備える本実施形態の櫛歯付き塗布用具１０によれば、櫛歯台１９の櫛歯列２１によって両側を挟まれた中央部分２２に、略全体に亘って塗布液としての染毛剤を略均等に吐出させることにより、吐出された染毛剤を毛髪にバランスよく塗布することが可能になると共に、櫛歯部１２の洗浄性を阻害することがない。
【００２７】
すなわち、本実施形態によれば、２箇所のスリット開口２４ａ，２４ｂが、櫛歯台１９の櫛歯列２１によって両側を挟まれた中央部分２２に、長手方向Ｘに間隔をおいて直線状に並べて配置されており、接続基端部１２ａ側（供給流路１７側）の第１スリット開口２４ａのスリット幅Ｂ１が、先端部１２ｂ側の第２スリット開口２４ｂのスリット幅Ｂ２よりも小さくなっている。また、スリット幅Ｂ１の小さい接続基端部１２ａ側の第１スリット開口２４ａと、スリット幅Ｂ２の大きい先端部１２ｂ側の第２スリット開口２４ｂとを、連続させることなく間隔をおいて直線状に並べて配置している。したがって、スリットを分断することなく１本のスリット開口として設けた場合と比較して、第１スリット開口２４ａと第２スリット開口２４ｂの間に間隔部が介在していることにより、接続基端部１２ａ側（供給流路１７側）に多量の染毛剤が偏って吐出されるのを回避して、櫛歯部１２の略全体に亘って染毛剤を略均等に吐出させることが可能になる。さらに、例えば複数の開口面積の小さな吐出口を、接続基端部側（供給流路１７側）のものの開口径よりも先端部側のものの開口径の方が大きくなるように設けた場合と比較して、スリット状の開口によって個々の吐出用の開口に相当の大きさの開口面積を確保することが可能になり、スリット開口２４ａ，２４ｂに洗浄水をスムーズを流通させて、櫛歯部１２の洗浄性を向上させることが可能になる。
【００２８】
なお、本発明は上記実施形態に限定されることなく種々の変更が可能である。例えば、中央部分を挟んだ両側に櫛歯列を一列ずつ設ける必要は必ずしもなく、各々二列以上設けることもできる。また、櫛歯列の外側に櫛歯列以外の櫛歯を適宜設けることもできる。さらに、櫛歯部に吐出される塗布液は、染毛剤以外の毛髪化粧料であっても良く、毛髪化粧料以外の、櫛歯と共に使用するその他の種々の塗布液であっても良い。
【図面の簡単な説明】
【００２９】
【図１】本発明の好ましい一実施形態に係る櫛歯付き塗布用具を容器本体に取り付けた状態を示す断面図である。
【図２】（ａ）は本発明の好ましい一実施形態に係る櫛歯付き塗布用具の要部側面図、（ｂ）は（ａ）を上方たら視た平面図である。
【符号の説明】
【００３０】
１０  櫛歯付き塗布用具
１１  容器本体
１１ａ  容器本体の口首部
１２  櫛歯部
１２ａ  櫛歯部の接続基端部
１２ｂ  櫛歯部の先端部
１３  押圧操作部
１４  ステム
１５  装着固定部
１６  ヒンジ部
１７  供給流路
１８  中空ロッド部
１９  櫛歯台
２０  櫛歯
２１  櫛歯列
２２  中央部分
２３  液室
２４ａ  第１スリット開口
２４ｂ  第２スリット開口
２５  補助櫛歯
２６  染毛剤保持凹部
Ｂ１  第１スリット開口のスリット幅
Ｂ２  第２スリット開口のスリット幅
Ｌ０  櫛歯列の両端の間の長さ
Ｌ１  第１スリット開口の長さ
Ｌ２  第２スリット開口の長さ
Ｌ３  第１スリット開口と第２スリット開口との間の間隔部分の長さ
Ｌ４  櫛歯列の接続基端部側の端部から第１スリット開口の始端部までの長さ
Ｌ５  櫛歯列の先端部側の端部から第２スリット開口の終端部までの長さ
Ｘ    櫛歯台の長手方向
Ｙ    供給流路の軸方向
【図１】
0005220422.tif 000002
【図２】
0005220422.tif 000003